(57)【要約】【課題】  軸受への負荷が大きい場合やドライ運転あるいはスラリー水に晒されるような過酷な条件下で運転されても、優れた摺動特性を長期間継続して維持することができるすべり軸受を提供する。【解決手段】  回転軸２０に固着されたスリーブ２１と摺動する複数のセグメント２２を備え、これらセグメント２２をその外周に配置した金属製シェル２４で保持する。また、各セグメント２２のスリーブ２１側への変位をセグメント取付手段２３によって制限するとともに、前記各セグメント２２の金属製シェル２４側への変位をセグメント取付手段２３によって許容する。【選択図】      図３
2006220258.tif 000002
【特許請求の範囲】
【請求項１】
回転軸または回転軸に固着されたスリーブと摺動するセグメントを備え、該セグメントがその外周に配置した金属製シェルで保持されているすべり軸受であって、
前記セグメントが、前記回転軸または回転軸に固着されたスリーブ側への変位を制限するセグメントの裏面に取付けた支持部材と、前記シェル側への変位を許容するセグメントと金属製シェル間に介設された緩衝部材によって金属製シェルに保持されていることを特徴とするすべり軸受。
【請求項２】
請求項１に記載のすべり軸受において、
前記セグメントが軸方向に複数段配設されていることを特徴とするすべり軸受。
【請求項３】
請求項１または請求項２に記載のすべり軸受において、
前記セグメントがダイヤモンド焼結体によって構成され、前記緩衝部材が高分子弾性材料または金属製ばね材料で構成されていることを特徴とするすべり軸受。
【請求項４】
請求項１〜請求項３のいずれかに記載のすべり軸受を用いたことを特徴とするポンプ装置。
【発明の詳細な説明】
【技術分野】
【０００１】
本発明は、特に、起動時や先行待機運転時では揚水を遮断したドライ運転がなされ、定常運転時ではスラリー水に晒される運転がなされる立軸ポンプなどの軸受として好適なすべり軸受およびこのすべり軸受を備えたポンプ装置に関するものである。
【背景技術】
【０００２】
従来、起動時や先行待機運転時では揚水を遮断したドライ運転がなされ、定常運転時ではスラリー水に晒される運転がなされる立軸ポンプなどに好適な軸受として、図６に示すすべり軸受が提案されている（特許文献１）。
【０００３】
このすべり軸受は、回転軸１の外周に固着された金属製のスリーブ１ａを軸支する摺動体として、窒化珪素などのセラミックス製の複数個のセグメント２が使用されており、これら複数個のセグメント２は、円周方向に等間隔で止具３を介して金属製のシェル４に保持されているとともに、金属製のシェル４の外周をゴムなどの弾性体からなる緩衝材５で保持している。
【０００４】
また、この種のすべり軸受としては、図７に示すすべり軸受が提案されている（特許文献２）。
【０００５】
このすべり軸受は、回転軸１の外周に固着された金属製のスリーブ１ａを軸支する摺動体である窒化珪素などのセラミックス製の複数個のセグメント２が、円周方向等間隔でゴムなどの弾性体からなる緩衝材５で保持されるとともに、該緩衝材５を金属製のシェル４に嵌合したものである。
【０００６】
さらに、この種のすべり軸受としては、図８に示すすべり軸受も提案されている（特許文献３）。
【０００７】
このすべり軸受は、回転軸１を軸支する摺動体である窒化珪素などのセラミックス製の複数個のセグメント（パッド）２を、緩衝材５を介してハウジング６の内面に設けた溝６ａに挿入するとともに、セグメント固定具（パッド固定具）７でセグメント２の両端を押さえるべくボルト８にてセグメント固定具７を締め付けたものである。
【０００８】
【特許文献１】特開平１１−１６６５２８号公報
【特許文献２】特開平５−１２６１３８号公報
【特許文献３】実開昭６３−３６７２１号公報
【発明の開示】
【発明が解決しようとする課題】
【０００９】
前記各文献に記載されたすべり軸受は、たとえば、先行待機運転ポンプに適用されて、ポンプの回転軸１または該回転軸１に固着されているスリーブ１ａを回転自在に軸支することによって、ポンプの起動時や先行待機運転時のような揚水を遮断したドライ運転がなされたり、あるいは、定常運転時ではスラリー水に晒されるような過酷な条件下で使用されても、優れた摺動特性を発揮できるとされている。
【００１０】
ところが、特許文献１に記載されているすべり軸受は、緩衝材５を金属製のシェル４の外周に配置してあるため、セグメント２に負荷される衝撃を緩衝する機能が低い。このため、軸受への負荷が大きい場合や大気中で回転軸１に固着されたスリーブ１ａとセグメント２の両者が摺動するドライ運転時、あるいは、スラリー水に晒される定常運転時において回転軸１のふれ回りや軸線の傾きが生じると、このふれ回りや軸線の傾きによって起こる片当り荷重に対する追従性に劣る。したがって、脆性の高いセラミックス製のセグメント２が損傷しやすく、セグメント２の損傷によって、回転軸１または回転軸１に固着されているスリーブとセグメント２間の摩擦係数を上昇させて、異常振動が生じる原因になり、すべり軸受の摺動特性が著しく悪くなって、耐久性を低下させることになる。
【００１１】
一方、特許文献２に記載されているすべり軸受は、セグメント２を緩衝材５で保持し、該緩衝材５を金属製のシェル４に嵌合してあるので、セグメント２に負荷される衝撃を緩衝することができる。このため、回転軸１のふれ回りや軸線の傾きが生じても、このふれ回りや軸線の傾きによって起こる片当り荷重に追従することができる。したがって、セグメント２の損傷を回避してすべり軸受の摺動特性の低下を抑制することができる。
【００１２】
ところが、特許文献２に記載されているすべり軸受は、軸受への負荷が大きい場合や大気中で回転軸１に固着されたスリーブ１ａとセグメント２の両者が摺動するドライ運転がなされると、摺動熱によってセグメント２が加熱されて緩衝材５の温度が高くなる。このため、緩衝材５は熱膨張によってセグメント２をスリーブ１ａ側に付勢して、セグメント２をスリーブ１ａに抱き付かせ、セグメント２とスリーブ１ａ間の摩擦係数を上昇させて、異常振動が生じる原因になり、すべり軸受の摺動特性が著しく悪くなって、耐久性を低下させることになる。
【００１３】
他方、特許文献３に記載されているすべり軸受は、セグメント（パッド）２を、緩衝材５を介してハウジング６の内面に設けた溝６ａに挿入しているので、緩衝材５によってパッド２に負荷される衝撃を緩衝することができる。このため、回転軸１のふれ回りや軸線の傾きが生じても、このふれ回りや軸線の傾きによって起こる片当り荷重に追従することができる。したがって、パッド２の損傷を回避してすべり軸受の摺動特性の低下を抑制することができる。また、前記摺動熱によってパッド２が加熱されて緩衝材５の温度が高くなっても、緩衝材５の熱膨張によってパッド２に生じる回転軸１側への付勢力をセグメント固定具（パッド固定具）７で抑制することができる。このため、パッド２が回転軸１に抱き付く状態を回避して、パッド２と回転軸１間の摩擦係数の上昇および異常振動の発生を抑えることが期待できる。
【００１４】
ところが、特許文献３に記載されているすべり軸受は、一対のパッド固定具７の端面７ａによって一つのパッド２の両側端面２ａ，２ａを押圧することで、パッド２を固定するとともに、一つのパッド２を適正な姿勢で固定するのに必要な押圧力は、一対のボルト８，８の締め付け量を調整することによって得られるようになっている。つまり、一対のボルト８，８個々の締め付け量を均等に調整しなければ、一つのパッド２を適正な姿勢で固定することができない。しかし、一対のボルト８，８個々の締め付け量を均等に調整する作業は相当に困難であり、一対のボルト８，８個々の締め付け量が不均等になりやすい。このように締め付け量が不均等になると、パッド２が周方向に傾いた姿勢で固定されることになって、回転軸１の外周面に対してパッド２の摺動面２ｂの全面が一様に摺動しない不適正な軸支状態になり、すべり軸受の軸支機能を大幅に低下させることになる。
【００１５】
また、特許文献３に記載されているすべり軸受は、一対のパッド固定具７に形成されている小さい面積の端面７ａによって、パッド２に形成されている両側端面２ａ，２ａの一部分を局部的に押圧することによってパッド２を固定しているので、たとえば回転軸のふれ回りや軸線の傾きあるいは僅かな振動などの外因によってパッド２が脱落するおそれを有している。しかも、一対のパッド固定具７の端面７ａによって一つのパッド２の両側端面２ａ，２ａを押圧し、かつ、一対のパッド固定具７のそれぞれにボルト８を付設する構造では、これらの取付けに手間がかかり組立作業が困難である。
【００１６】
本発明は、このような問題を解決するものであって、その目的とするところは、たとえ、軸受への負荷が大きい場合やドライ運転あるいはスラリー水に晒されるような過酷な条件下で運転されても、優れた摺動特性を長期間継続して維持することができるものでありながら、セグメントの傾きや脱落を防止して軸支機能の低下の危険性を低減できるすべり軸受およびこのすべり軸受を備えたポンプ装置を提供することにある。
【課題を解決するための手段】
【００１７】
前記目的を達成するために、本発明に係るすべり軸受は、回転軸または回転軸に固着されたスリーブと摺動するセグメントを備え、該セグメントがその外周に配置した金属製シェルで保持されているすべり軸受であって、前記セグメントが、前記回転軸または回転軸に固着されたスリーブ側への変位を制限するセグメントの裏面に取付けた支持部材と、前記シェル側への変位を許容するセグメントと金属製シェル間に介設された緩衝部材によって金属製シェルに保持されていることを特徴とするものである。
【００１８】
このように、セグメントが、該セグメントの裏面に取付けた支持部材によって回転軸または回転軸に固着されたスリーブ側への変位を制限されて金属製シェルに保持されることで、セグメントが回転軸または回転軸に固着されたスリーブ側に過剰に押し付けられるのを抑制して、セグメントが相手側に抱き付くのを防止することができるとともに、前記緩衝部材によって、セグメントのシェル側への変位が許容されることで、回転軸のふれ回りや軸線の傾きによって生じる片当り荷重に追従してセグメントをシェル側へ変位させて、セグメントあるいは相手側の損傷を防止することができる。このため、摺動面の摩擦係数の上昇およびこれに伴う異常振動が抑制されるので、たとえ、ドライ運転やスラリー水に晒されるような過酷な条件下で運転されても、優れた摺動特性を長期間継続して維持することができる。
【００１９】
また、セグメントの裏面に支持部材を強固に取付けてセグメントが支持部材から脱落するのを防止できるので、セグメントの端部を固定具で押さえてシェルに固定するよりもセグメントの脱落による軸支機能の低下の危険性を低減できる。さらに、取付けの手間がかからない簡素された構造によって、セグメントが回転軸または回転軸に固着されたスリーブ側へ変位するのを制限し、かつ、シェル側へ変位するのを許容することにより、摺動面の摩擦係数の上昇およびこれに伴う異常振動が抑制されるので、たとえ、ドライ運転やスラリー水に晒されるような過酷な条件下で運転されても、優れた摺動特性を長期間継続して維持することができる。
【００２０】
本発明においては、セグメントを軸方向に複数段配設することが好ましい。これによると、回転軸のふれ回りや軸線の傾きによって生じる片当り荷重に対する追従性を向上させて、片当り荷重に対してより一層優れた軸受性能を発揮することができる。
【００２１】
さらに、本発明においては、セグメントをダイヤモンド焼結体によって構成し、緩衝部材を高分子弾性材料または金属製ばね材料で構成することが好ましい。
【００２２】
これによると、回転軸または回転軸に固着されたスリーブと摺動するセグメントの摺動面を、硬度が高く、かつ、大気中の自己潤滑性が高いダイヤモンド焼結体としているので、軸受への負荷が大きい場合や大気中で回転軸または回転軸に固着されたスリーブとセグメントの両者が摺動するドライ運転がなされても、両者間の摩擦係数が上昇しない。このため、耐摩耗性が高められてすべり軸受の耐久性を向上させることができる。また、硬度が高いダイヤモンド焼結体の表面を摺動面としていることにより、スラリー水に晒される運転条件下における摺動面の摩滅を防止して、すべり軸受の耐久性を向上させることができる。
【００２３】
一方、軸受への負荷が大きい場合や大気中で回転軸または回転軸に固着されたスリーブとセグメントの両者が摺動するドライ運転がなされた場合であっても、従来用いられていた窒化珪素などのセラミックス製のセグメントよりもダイヤモンド焼結体の摩擦係数が小さいので、摺動熱によってセグメントが加熱されて緩衝部材の温度が高くなることが抑制され、高分子弾性材料または金属製ばね材料で構成されている緩衝部材の弾性があまり低下しないので、回転軸のふれ回りや軸線の傾きによって生じる片当り荷重に追従してセグメントをシェル側へ変位させて、回転軸または回転軸に固着されたスリーブの損傷を防止することができる。したがって、摺動面の摩擦係数の上昇およびこれに伴う異常振動が抑制されるので、たとえ、ドライ運転やスラリー水に晒されるような過酷な条件下で運転されても、優れた摺動特性を長期間継続して維持することができる。
【００２４】
そして、前述のすべり軸受を用いたポンプ装置であれば、すべり軸受に起因する異常振動が防止され、片当り荷重に対しても優れた軸受性能を発揮できるとともに、ダイヤモンド焼結体は大気中の自己潤滑性が高く、かつ、硬度が高いので、ドライ運転やスラリー水に晒される運転がなされても、摩擦係数の上昇および摺動面の摩滅が抑制されることにより耐久性を向上させて、ポンプ装置に仕様通りの運転特性を長期間継続して発揮させることができる。
【発明の効果】
【００２５】
本発明によれば、セグメントが、該セグメントの裏面に取付けた支持部材によって回転軸または回転軸に固着されたスリーブ側への変位を制限されて金属製シェルに保持されることで、セグメントが相手側に抱き付くのを防止できるとともに、セグメントのシェル側への変位が許容されることで、セグメントあるいは相手側の損傷を防止することができるので、摺動面の摩擦係数の上昇およびこれに伴う異常振動を抑制できる。したがって、たとえ、ドライ運転やスラリー水に晒されるような過酷な条件下で運転されても、優れた摺動特性を長期間継続して維持することができる。
また、セグメントの裏面に支持部材を強固に取付けてセグメントが支持部材から脱落するのを防止できることにより、セグメントの端部を固定具で押さえてシェルに固定するよりもセグメントの脱落による軸支機能の低下の危険性を低減できるばかりか、取付けの手間がかからない簡素された構造によって摺動面の摩擦係数の上昇およびこれに伴う異常振動を抑制して、たとえ、ドライ運転やスラリー水に晒されるような過酷な条件下で運転されても、優れた摺動特性を長期間継続して維持することができる。
【発明を実施するための最良の形態】
【００２６】
図１は本発明の実施形態を示す縦断面図、図２は図１のＡ−Ａ矢視図、図３は要部を拡大して示す縦断面図である。これらの図において、すべり軸受Ｂは、ポンプ主軸２０に固着されたスリーブ２１と摺動する複数のセグメント２２、つまり、周方向２０個のセグメント２２を軸方向で二段に分割して配設した合計４０個のセグメント２２を備えており、これらセグメント２２は、セグメント取付手段２３によって該セグメント２２の外周に配置されているステンレス（ＳＵＳ３０４）製で筒状のシェル（金属製シェル）２４に保持され、該金属製シェル２４は軸受台（図示省略）を介してポンプ側に固定される。
【００２７】
前記複数のセグメント２２のそれぞれは、超硬合金（たとえばタングステンカーバイトを含むコバルト基合金）からなる基材２２ａと、該基材２２ａ上に形成されたダイヤモンド焼結体２２ｂと、基材２２ａの裏面に接着されたバックメタル２２ｃとを備え、バックメタル２２ｃは、たとえばステンレス（ＳＵＳ４０３）によって構成されている。
【００２８】
一方、セグメント取付手段２３は、セグメント２２がスリーブ２１側へ変位するのを制限するとともに、金属製シェル２４側への変位を許容するためのもので、セグメント２２の裏面に取付けた支持部材２３ａと、セグメント２２と金属製シェル２４との間に介設された緩衝部材２３ｂで構成されており、支持部材２３ａは、バックメタル２２ｃの裏面に直交して、たとえば、銀ろうを用いたろう付け手段によって取付けられたボルト２３ａ１と、このボルト２３ａ１に螺合するナット２３ａ２および座金２３ａ３とからなり、緩衝部材２３ｂは、耐熱性にすぐれたフッ素ゴムのほか、ニトリルゴム（ＮＢＲ）、水素化ニトリルゴム（ＨＮＢＲ）、アクリルゴム（ＡＣＭ）、エチレンプロピレンゴム（ＥＰＤＭ）、スチレンブタジエンゴム（ＳＢＲ）などの連続使用可能上限温度が１５０℃〜１００℃の範囲の高分子弾性材料からなるドーナツ形の緩衝材２３ｂ１によって構成してもよい。ここで、連続使用可能上限温度としては、ＪＩＳＫ６８３０−９４の耐熱温度のタイプＢ，Ｃ，Ｄに相当するものをいう。なお、バックメタル２２ｃの裏面に直交して、ろう付け手段によってボルト２３ａ１を取付けていることによって、セグメント２２が支持部材２３ａに強固に取付け取付けられることになる。これにより、セグメント２２が支持部材２３ａから脱落するのを防止して、セグメント２２の脱落による軸支機能の低下を確実に避けることができる。
【００２９】
また、ドーナツ形の緩衝材２３ｂ１にボルト２３ａ１を挿通して、ドーナツ形の緩衝材２３ｂ１をバックメタル２２ｃの裏面に当接させた状態で、ボルト２３ａ１を金属製シェル２４の径内側から該金属製シェル２４に設けられているセグメント取付孔２４ａに挿通して、その先端部をセグメント取付孔２４ａに連設して金属製シェル２４の外周域に設けられている大径の凹部２４ｂに臨ませたのち、ここに座金２３ａ３を挿通し、かつ、ナット２３ａ２を螺合して締結することによって、緩衝部材２３ｂを構成しているドーナツ形の緩衝材２３ｂ１が、セグメント２２におけるバックメタル２２ｃと金属製シェル２４の内面との間に介設された状態で、セグメント２２が金属製シェル２４に保持されることになる。
【００３０】
前記構成のすべり軸受Ｂによれば、図３に示すように、セグメント取付手段２３の支持部材２３ａにおける座金２３ａ３が金属製シェル２４に設けた大径の凹部２４ｂの底面２４ｂ１に干渉し、かつ、ボルト２３ａ１の先端部にナット２３ａ２を螺合して締結していることによって、セグメント２２の矢印ｘ１方向への変位が制限される。つまり、セグメント２２は、セグメント取付手段２３によってスリーブ２１側への変位を制限されて金属製シェル２４に保持されているので、セグメント２２がスリーブ２１側に過剰に押し付けられるのを抑制して、セグメント２２がスリーブ２１に抱き付くのを防止することができる。また、セグメント２２におけるバックメタル２２ｃと金属製シェル２４の内面との間に、緩衝部材２３ｂを構成しているドーナツ形の緩衝材２３ｂ１が介設されることによって、セグメント２２の矢印ｘ２方向へ変位が許容される。つまり、セグメント２２は、セグメント取付手段２３によって金属製シェル２４への変位が許容されて該金属製シェル２４に保持されているので、回転軸２０およびスリーブ２１のふれ回りや軸線の傾きによって生じる片当り荷重を緩衝して追従し、セグメント２２を金属製シェル２４側へ変位させて、ダイヤモンド焼結体２２ｂによるスリーブ２１の損傷を防止することができ、その反力として回転軸２０を軸受Ｂの中心方向に付勢するため調芯される。このため、ダイヤモンド焼結体２２ｂとスリーブ２１との摺動面の摩擦係数の上昇およびこれに伴う異常振動が抑制されるので、たとえ、ドライ運転やスラリー水に晒されるような過酷な条件下で運転されても、優れた摺動特性を長期間継続して維持することができる。
【００３１】
一方、ポンプ主軸２０に固着されたスリーブ２１と摺動するセグメント２２の摺動面に、硬度が高く、かつ、大気中の自己潤滑性が高いダイヤモンド焼結体２２ｂを用いているので、すべり軸受Ｂへの負荷が大きい場合や大気中でポンプ主軸２０に固着されたスリーブ２１とセグメント２２の両者が摺動するドライ運転がなされても、両者２１，２２間の摩擦係数、詳しくは、スリーブ２１とダイヤモンド焼結体２２ｂ間の摩擦係数が上昇しない。このため、耐摩耗性が高められてすべり軸受Ｂの耐久性を向上させることができる。また、硬度が高いダイヤモンド焼結体２２ｂの表面を摺動面としていることにより、スラリー水に晒される運転条件下における該摺動面の摩滅を防止して、すべり軸受Ｂの耐久性を向上させることができる。したがって、摺動面の摩擦係数の上昇およびこれに伴う異常振動が抑制されるので、たとえ、ドライ運転やスラリー水に晒されるような過酷な条件下で運転されても、優れた摺動特性を長期間継続して維持することができる。
【００３２】
他方、軸受への負荷が大きい場合や大気中で回転軸２０に固着されたスリーブ２１とセグメント２２の両者が摺動するドライ運転がなされた場合であっても、従来用いられていた窒化珪素などのセラミックス製のセグメントよりもダイヤモンド焼結体の摩擦係数が小さいので、摺動熱によってセグメント２２が加熱されて緩衝部材２３ｂとして機能するドーナツ形の緩衝材２３ｂ１の温度が高くなることが抑制され、該緩衝材２３ｂ１は、ニトリルゴム（ＮＢＲ）、水素化ニトリルゴム（ＨＮＢＲ）、アクリルゴム（ＡＣＭ）、エチレンプロピレンゴム（ＥＰＤＭ）、スチレンブタジエンゴム（ＳＢＲ）などの連続使用可能上限温度が１５０℃〜１００℃の範囲の高分子弾性材料によって構成された場合でも緩衝性能があまり低下しない。したがって、回転軸２０およびスリーブ２１のふれ回りや軸線の傾きによって生じる片当り荷重に追従して、セグメント２２を金属製シェル２４側へ変位させて、スリーブ２１の損傷を防止することができ、その反力として回転軸２０を軸受Ｂの中心方向に付勢するため調芯される。このため、摺動面の摩擦係数の上昇およびこれに伴う異常振動が抑制されるので、たとえ、ドライ運転やスラリー水に晒されるような過酷な条件下で運転されても、優れた摺動特性を長期間継続して維持することができる。なお、使用条件によって、緩衝材２３ｂ１としてより耐熱性の高いフッ素ゴムを用いてもよい。
【００３３】
また、前記実施形態のように、セグメント２２を軸方向で二段に分割して配設したり、あるいは、軸方向で三段に分割して配設することで、ポンプ主軸１およびスリーブ２１にふれ回りや傾きによって片当り荷重が負荷されても、軸方向に分割されているセグメント２２と緩衝材２３ｂ１との協働によって、片当り荷重に対する追従性が向上するので、片当り荷重に対しても優れた軸受性能を発揮することができる。
【００３４】
さらに、図４に示すように、前記実施形態で説明したすべり軸受Ｂを用いて、たとえば立軸ポンプＰの吐出しボウル６の内部および該吐出しボウル６の上側に設けた揚水管７の内部において、先端に羽根車８を固着したポンプ主軸２０を回転自在に軸支することで、前述の理由によりすべり軸受Ｂに起因する異常振動の発生が防止され、片当り荷重に対しても優れた軸受性能を発揮できるので、ドライ運転やスラリー水に晒される運転がなされても、摩擦係数の上昇および摺動面の摩滅が防止されることによって耐久性を向上させて、立軸ポンプＰに仕様通りの運転特性を長期間継続して発揮させることができる。なお、横軸ポンプに用いても同様の効果が得られることはいうまでもない。
【００３５】
なお、前記実施形態では、ポンプ主軸２０にスリーブ２１を固着した構成で説明しているが、スリーブ２１を省略して、ポンプ主軸２０とセグメント２２を摺動させてもよい。
【００３６】
また、前記実施形態では、緩衝部材２３ｂを高分子弾性材料からなるドーナツ形の緩衝材２３ｂ１によって構成しているが、図５（ａ）に示すように、金属製ばね材料２３ｂ２によって緩衝部材２３ｂを構成してもよい。また、金属製の板ばねやスプリングワッシャを用いて緩衝部材２３ｂを構成してもよい。このように緩衝部材として金属材料を用いた場合は、軸受の温度変化にともなう緩衝性能の低下を、前述した高分子弾性材料を用いるよりも小さくすることができる。
そして、前記実施形態では、セグメント２２の裏面に取付けた１本の支持部材２３ａを用いているが、図５（ｂ）に示すように、セグメント２２の傾きを許容する球面継手部２５を介して取付けてもよい。このようにすることで、ポンプ主軸（回転軸）２０の傾きに対する緩衝性能がさらに向上する。また、図５（ｃ）に示すように、バックメタル２２ｃにめねじ部材２６を取付け、このめねじ部材２６にボルト２７の先端部を螺合して固定してもよい。さらに、前記実施形態では、すべてバックメタル２２ｃを用いた構成で説明したが、バックメタル２２ｃを用いずに、セグメント２２に直接支持部材２３ａを取付ける構造であってもよい。
【図面の簡単な説明】
【００３７】
【図１】本発明の実施形態を示す縦断面図である。
【図２】図１のＡ−Ａ矢視図である。
【図３】要部を拡大して示す縦断面図である。
【図４】本発明に係るすべり軸受を用いたポンプ装置の実施形態を示す縦断面図である。
【図５】セグメント取付手段の他の実施形態を示し、図５（ａ）は第２実施形態の縦断面図、図５（ｂ）は第３実施形態の縦断面図、図５（ｃ）は第３実施形態の縦断面図である。
【図６】第１従来例の説明図である。
【図７】第２従来例の説明図である。
【図８】第３従来例の説明図である。
【符号の説明】
【００３８】
２０  ポンプ主軸（回転軸）
２１  スリーブ
２２  セグメント
２２ｂ  ダイヤモンド焼結体
２３  セグメント取付手段
２３ａ  支持部材
２３ｂ  緩衝部材
２４  金属製シェル（金属シェル）
Ｂ  すべり軸受
Ｐ  立軸ポンプ（ポンプ装置）
【図１】
2006220258.tif 000003
【図２】
2006220258.tif 000004
【図３】
2006220258.tif 000005
【図４】
2006220258.tif 000006
【図５】
2006220258.tif 000007
【図６】
2006220258.tif 000008
【図７】
2006220258.tif 000009
【図８】
2006220258.tif 000010